(57)【要約】【課題】輪郭強調信号のレベルの変化が小さい箇所におけるフォーカス状態の変化も、視覚的に認識しやすくする。【解決手段】入力映像信号の輝度信号Ｙに含まれる高域成分を抽出して、抽出した高域成分の大きさに応じたレベルの輪郭強調信号Ｄｔを生成する輪郭成分抽出部２００を備えた。さらに、輪郭成分抽出部で生成された輪郭強調信号を所定のクロック周期毎にサンプリングして出力する周波数低減／ピーク検出部３１０と、周波数低減部から出力された輪郭強調信号を、入力映像信号を構成する色差信号に加算する加算器ＡＭ２，ＡＭ３とを備えた。【選択図】図１
2010135865.tif 000002
【特許請求の範囲】
【請求項１】
入力映像信号の輝度信号に含まれる高域成分を抽出して、前記抽出した高域成分の大きさに応じたレベルの輪郭強調信号を生成する輪郭成分抽出部と、
前記輪郭成分抽出部で生成された輪郭強調信号を所定のクロック周期毎にサンプリングして出力する周波数低減部と、
前記周波数低減部から出力された輪郭強調信号を、前記入力映像信号を構成する色差信号に加算する加算器とを備えた
映像信号処理装置。
【請求項２】
前記輪郭成分抽出部で生成された輪郭強調信号の幅を、前記輪郭強調信号のレベルに応じた幅に変調して、幅変調後の輪郭強調信号を前記加算器に出力する幅変調部を備えた
請求項１記載の映像信号処理装置。
【請求項３】
前記幅変調部は、前記輪郭強調信号のレベルが、予め設定された複数のレベルのうちどのレベルに分類されるかを判定するレベル判定部と、
前記複数のレベルのそれぞれに対して、前記幅の太さを規定する任意の幅変調値を予め対応づけておき、前記レベル判定部より前記判定されたレベルの情報が入力された場合に、前記判定されたレベルに対応する幅変調値を抽出する幅変調値決定部と、
前記幅変調値決定部で抽出された幅変調値に基づいて、前記輪郭強調信号に幅変調処理を施す幅変調処理部とを有する
請求項２記載の映像信号処理装置。
【請求項４】
前記幅変調処理部は、前記輪郭強調信号のレベルの増加又は減少の状態に応じて、前記輪郭強調信号への幅変調処理を行うか否かを選択的に切り換える
請求項３記載の映像信号処理装置。
【請求項５】
前記幅変調処理部は、前記増減検出部で前記輪郭強調信号のレベルが減少していると判断された場合にのみ、前記輪郭強調信号に幅変調処理を施す
請求項４記載の映像信号処理装置。
【請求項６】
前記加算器は、前記輪郭強調信号と前記色差信号のうちの赤色差信号とを加算する第１の加算器と、前記輪郭強調信号と前記色差信号のうちの青色差信号とを加算する第２の加算器とを有し、
前記幅変調値決定部は、前記第１の加算器と前記第２の加算器のいずれで加算処理を行わせるかを決める加算制御を行い、前記レベル判定部で判定されたレベルが所定のレベル未満である場合と、所定のレベル以上である場合とで、前記加算制御を変化させる
請求項４記載の映像信号処理装置。
【請求項７】
前記幅変調値決定部は、前記レベル判定部で判定されたレベルが所定のレベル未満である場合は、前記第１の加算器と前記第２の加算器のいずれか一方のみで前記輪郭強調信号の加算を行わせるための制御信号を出力し、前記レベル判定部で判定されたレベルが所定のレベル以上である場合は、前記第１の加算器と前記第２の加算器の両方に前記輪郭強調信号の加算を行わせるための制御信号を出力する
請求項６記載の映像信号処理装置。
【請求項８】
前記輪郭成分抽出部で生成された輪郭強調信号のうち、水平方向に隣接する所定数の輪郭強調信号を抽出して、前記抽出した所定数の輪郭強調信号の各レベルを比較して最大値を検出し、前記検出した最大値を前記遅延部に出力するピーク検出部を備えた
請求項４記載の映像信号処理装置。
【請求項９】
前記色差信号のレベルを下げる所定のゲイン係数を前記色差信号に乗算して前記加算器に出力する乗算器を備えた
請求項４記載の映像信号処理装置。
【請求項１０】
前記輪郭強調信号には、前記色差信号に加算される輪郭強調信号のレベルを上げる所定のゲイン係数が乗算されて、前記ゲイン係数乗算後の輪郭強調信号が前記加算器に出力される
請求項４記載の映像信号処理装置。
【請求項１１】
前記周波数低減部によって所定のクロック周期でサンプリングされた輪郭強調信号を、前記入力映像信号の輝度信号に加算する第３の加算器を備えた
請求項４記載の映像信号処理装置。
【請求項１２】
前記第３の加算器では、前記周波数低減部によって所定のクロック周期でサンプリングされた輪郭強調信号の、前記入力映像信号の輝度信号への加算又は非加算が、所定の周期毎に切り換えられる
請求項１１記載の映像信号処理装置。
【請求項１３】
前記輪郭強調信号を前記輝度信号に加算するための制御信号もしくは前記輪郭強調信号を前記赤色差信号及び／又は青色差信号に加算するための制御信号は、ユーザの指示に基づいて生成されて、前記第１の加算器と前記第２の加算器と前記第３の加算器に供給される
請求項１０記載の映像信号処理装置。
【請求項１４】
前記遅延部に入力される輪郭強調信号を絶対値化及び／又はその極性を反転させる処理を行う絶対値化／極性反転処理部を備えた
請求項４記載の映像信号処理装置。
【請求項１５】
前記周波数低減処理部における所定のクロック周期とは、２クロック周期又は３クロック周期である
請求項１記載の映像信号処理装置。
【請求項１６】
被写体光を光電変換して映像信号を生成する撮像部と、
前記撮像部で生成された映像信号の輝度信号に含まれる高域成分を抽出して、前記抽出した高域成分の大きさに応じたレベルの輪郭強調信号を生成する輪郭成分抽出部と、
前記輪郭成分抽出部で生成された輪郭強調信号を所定のクロック周期毎にサンプリングして出力する周波数低減部と、
前記周波数低減部から出力された輪郭強調信号を、前記入力映像信号を構成する色差信号に加算する加算器と、
前記加算器で前記輪郭強調信号が加算された前記色差信号を表示する表示部とを備えた
撮像装置。
【請求項１７】
入力映像信号の輝度信号に含まれる高域成分を抽出して、前記抽出した高域成分の大きさに応じたレベルの輪郭強調信号を生成するステップと、
前記輪郭成分抽出部で生成された輪郭強調信号を所定のクロック周期毎にサンプリングして出力するステップと、
前記周波数低減部から出力された輪郭強調信号を、前記入力映像信号を構成する色差信号に加算するステップとを含む
映像信号処理方法。
【発明の詳細な説明】
【技術分野】
【０００１】
本発明は、映像信号処理装置、撮像装置及び映像信号処理方法に関し、特にマニュアルフォーカスでのフォーカシング操作を容易にする技術に関する。
【背景技術】
【０００２】
放送局用、業務用ビデオカメラにおいては、その映像表現の自由度を上げる為に、画面の中央部に均一的にピントを合わせるオートフォーカスよりも、制作者の意図を反映できるマニュアルフォーカスによるフォーカシングが用いられる事が多い。そして、このようにマニュアルフォーカシングを行えるカメラでは、フォーカスの調整を容易にするために、フォーカス調整時に、映像信号の高域部分を強調してビューファインダに表示することを行っている。具体的な処理としては、映像信号を構成する輝度信号から高域成分を抽出して輪郭強調信号を生成し、その輪郭強調信号を本線の輝度信号に加算して、ビューファインダに出力することを行っている。
【０００３】
フォーカスが合ってくると輝度信号中の高域成分の量が増加するため、上述した処理を行うことにより、ビューファインダ上の画像の輪郭（エッジ）部分が強調されるようになる。これによりユーザ（撮影者）は、フォーカスが合っているか否かをビューファインダの画面上で確認しながら、フォーカスの調整を行うことができる。
【０００４】
例えば特許文献１には、カラー液晶表示素子を用いたビューファインダにおいて、撮像画の輪郭部分を十分に強調して表示する技術について記載されている。
【特許文献１】特開平０９−１３９９５２号公報
【発明の開示】
【発明が解決しようとする課題】
【０００５】
ところで、近年、性能向上によりビデオカメラや電子スチルカメラで撮影できる画像の解像度は高くなっており、フルＨＤ（High Definition）と呼ばれる「１９２０画素×１０８０画素」の高解像度映像を撮影できるものも増えている。一方、撮影時に画像を確認するためのビューファインダのサイズは、大きさが制限される等の理由により、「６４０画素×４８０画素」等の小さなものである場合が多い。すなわち、ビューファインダで表示できる解像度が、カメラで撮影された画像の解像度に対して不十分になってきている。
【０００６】
このようにダイナミックレンジが狭いだけでなく低解像度であるビューファインダでは、フルＨＤ映像の７４ＭＨｚの１〜２クロック幅分の輪郭強調成分は解像できない。よって、輪郭強調信号のレベル方向における微妙な変化が表現されなくなってしまう。このため、ピント状態の変化やピントの山・谷の変化をユーザが画面上で認識することが非常に難しくなってしまうという問題があった。
【０００７】
本発明はかかる点に鑑みてなされたものであり、輪郭強調信号のレベルの変化が小さい箇所におけるフォーカス状態の変化も、視覚的に認識しやすくすることを目的とする。
【課題を解決するための手段】
【０００８】
本発明の映像信号処理装置は、入力映像信号の輝度信号に含まれる高域成分を抽出して、抽出した高域成分の大きさに応じたレベルの輪郭強調信号を生成する輪郭成分抽出部を備えた。さらに、輪郭成分抽出部で生成された輪郭強調信号を所定のクロック周期毎にサンプリングして出力する周波数低減部と、周波数低減部から出力された輪郭強調信号を、入力映像信号を構成する色差信号に加算する加算器とを備えたものである。
【０００９】
このようにしたことで、輪郭強調信号の周波数が低減されてから本線の色差信号に加算されるようになる。
【発明の効果】
【００１０】
本発明によると、輪郭強調信号の周波数が低減されてから本線の色差信号に加算されるため、従来の輪郭強調信号を輝度信号に加算する方法に対して、低解像度或いは低ダイナミック・レンジの表示デバイスにおいても、フォーカス状態のわずかな変化を視覚的に認識しやすくなる。
【発明を実施するための最良の形態】
【００１１】
１．撮像装置の全体構成例
以下、本発明の一実施の形態を、添付図面を参照して説明する。本実施の形態では、本発明の映像信号処理装置を撮像装置に適用している。図１は、撮像装置１の内部構成例を示したブロック図である。図１に示した撮像装置１は、撮像部１００を備えて、撮像により映像信号を得る。また撮像部１００は、輪郭強調信号を生成する輪郭成分抽出部２００と、輪郭成分抽出部２００で生成された輪郭強調信号の周波数を低減させたり、幅変調の処理等を施す輪郭強調処理部３００とを含む。撮像部１００はさらに、ＬＣＤ（Liquid Crystal Display）等よりなるビューファインダ４００とを含む。
【００１２】
撮像部１００は、図示せぬレンズや、レンズの位置を移動させるためのフォーカスリング、レンズを通して装置内に入射された被写体光を光電変換してＲ，Ｇ，Ｂの各画素信号を得る撮像素子を含む。また、Ｒ，Ｇ，Ｂの各画素信号を輝度信号Ｙと色差信号Ｃｒ（赤色差信号），色差信号Ｃｂ（青色差信号）に変換するマトリクス回路や、各種同期信号を生成するタイミング生成部、信号処理部、画像処理部等を含む（いずれも図示略）。タイミング生成部で生成される各種同期信号は、フレーム同期信号Ｆ，垂直同期信号Ｖ，水平同期信号Ｈなどである。
【００１３】
輪郭成分抽出部２００は、ハイパスフィルタ等で構成され、撮像部１００から出力された輝度信号Ｙに含まれる高域成分のみを抽出して輪郭強調信号Ｄｔを生成する。輪郭成分抽出部２００は、輪郭強調信号Ｄｔだけでなく、撮像部１００から出力された輝度信号Ｙと色差信号Ｃｒ，Ｃｂとフレーム同期信号Ｆと水平同期信号Ｈを出力する。
【００１４】
輪郭成分抽出部２００で生成された輪郭強調信号Ｄｔは、輪郭成分抽出部２００の後段に設けられた加算器ＡＭ１によって本線の輝度信号Ｙに加算され、輪郭強調信号Ｄｔが付加された輝度信号Ｙは、セレクタＳＬ１に出力される。セレクタＳＬ１は、輪郭強調信号Ｄｔが付加された輝度信号Ｙと、輪郭強調処理部３００によって所定の処理が施された輝度信号Ｙ′のうち、いずれかを選択してビューファインダ４００に出力する。どちらの輝度信号を選択するかは、モード選択信号ＳＥｍｄによって定められるものであり、モード選択信号ＳＥｍｄは、図示せぬ操作入力部へのユーザからの操作入力等に基づいて制御部（図示略）で生成される。生成されたモード選択信号ＳＥｍｄは、セレクタＳＬ１に供給される。
【００１５】
モード選択信号ＳＥｍｄは、セレクタＳＬ１だけでなくセレクタＳＬ２にも供給される。セレクタＳＬ２は、輪郭成分抽出部２００から出力された色差信号Ｃｒ，色差信号Ｃｂと、輪郭強調処理部３００によって処理された色差信号Ｃｒ′、色差信号Ｃｂ′のいずれかを選択して、ビューファインダ４００に出力する。すなわち、モード選択信号ＳＥｍｄは、輪郭強調信号Ｄｔを輝度信号Ｙに付加する従来のモードと、本実施の形態によるモード（以下、フォーカスアシストモードと称する）とを切り替えるための信号である。つまりフォーカスアシストモードとは、輪郭強調処理部３００によって処理が施された輪郭強調信号Ｃ′をセレクタＳＬ２で選択させて、ビューファインダ４００に出力させるモードである。なお、輪郭強調処理部３００内で輪郭強調信号Ｃ′を生成させる処理構成の詳細は後述する。
【００１６】
輪郭成分抽出部２００が出力するフレーム同期信号Ｆと水平同期信号Ｈは、カウンタ５００に供給する。カウンタ５００は、入力されたフレーム同期信号Ｆと水平同期信号Ｈを基準にカウントを行い、画面上の水平方向の画素の位置を特定するカウント値ＣＮｈと、垂直方向の画素の位置を特定するカウント値ＣＮｖとを生成する。カウント値ＣＮｈとＣＮｖは、輪郭強調処理部３００のタイミング処理部３５０に供給する。
【００１７】
タイミング処理部３５０は、カウンタ５００から供給されるカウント値ＣＮｈ及びＣＮｖに基づいて、信号供給先のブロックでの処理タイミングを制御するタイミングパルスを生成する。そして生成したタイミングパルスを、後述する周波数低減／ピーク検出部３１０と、幅変調部３２０と、セレクタＳＬ５に供給する。
【００１８】
１−１．輪郭強調処理部３００の構成例
次に、輪郭強調処理部３００の構成について、同じく図１を参照して説明する。輪郭強調処理部３００は、周波数低減／ピーク検出部３１０と、幅変調部３２０とを含む。周波数低減／ピーク検出部３１０は、輪郭成分抽出部２００から出力された輪郭強調信号Ｄｔをサブサンプリングすることにより、輪郭強調信号Ｄｔの周波数を落とす処理を行う。周波数低減／ピーク検出部３１０はさらに、２〜３クロック周期の所定のサブサンプリング区間中のピーク値を検出する処理も行う。
【００１９】
サブサンプリングとは、輪郭成分抽出部２００から出力される輪郭強調信号Ｄｔを、後述するタイミング処理部３５０から供給されるタイミングパルスに基づいて、２クロックに１回又は３クロックに１回サンプリングする処理である。輪郭強調信号Ｄｔの周波数が例えば７４ＭＨｚであった場合には、サンプルの回数が１／２となればサブサンプリングされた輪郭強調信号Ｄｔの周波数は３７ＭＨｚになる。また、サンプルの回数が１／３となれば約２５ＭＨｚとなる。
【００２０】
輪郭強調信号Ｄｔの周波数が７４ＭＨｚである場合には、解像度がＶＧＡ（Video Graphics Array）やＱＶＧＡ（Quarter VGA）等の低解像度のビューファインダ４００では、１〜２クロック分の幅の高域成分（輪郭強調成分）は解像できない事がある。これに対して、本実施の形態のように輪郭強調信号Ｄｔの周波数が落とされることによって、ＶＧＡ等の低解像度のビューファインダ４００であっても、確実に画像の輪郭部分が強調して表現されるようになる。
【００２１】
なお、サブサンプリングの周期を２クロック周期とするか３クロック周期とするかは、撮像条件等に応じて制御部（図示略）で最適なものが選択される。もしくは、ユーザが自由に設定することもできるようにしてある。
【００２２】
１−１−ａ．周波数低減／ピーク検出部の構成例
次に、図２を参照して、周波数低減／ピーク検出部３１０の内部構成例について説明する。周波数低減／ピーク検出部３１０は、入力される輪郭強調信号Ｄｔに１クロック分の遅延を加える遅延部３１１と、遅延部３１１で遅延が加えられた輪郭強調信号Ｄｔにさらに１クロック分の遅延を加える遅延部３１２とを備える。遅延部３１１に入力される前の輪郭強調信号Ｄｔ０と、遅延部３１１によって１クロック分の遅延が加えられた輪郭強調信号Ｄｔ１と、遅延部３１１と遅延部３１２によって２クロック分の遅延が加えられた輪郭強調信号Ｄｔ２は、セレクタＳＬ３に出力される。遅延部３１１に入力される前の輪郭強調信号Ｄｔ０は、周波数低減／ピーク検出部３１０に入力された輪郭強調信号Ｄｔと同じである。
【００２３】
周波数低減／ピーク検出部３１０はさらに、輪郭強調信号Ｄｔ０を絶対値化する絶対値化部３１３と、輪郭強調信号Ｄｔ１を絶対値化する絶対値化部３１４と、輪郭強調信号Ｄｔ２を絶対値化する絶対値化部３１５とを備える。絶対値化部３１３で絶対値化された輪郭強調信号ＡＢＤｔ０と、絶対値化部３１４で絶対値化された輪郭強調信号ＡＢＤｔ１と、絶対値化部３１５で絶対値化された輪郭強調信号ＡＢＤｔ２は、出力選択部３１６に入力される。
【００２４】
出力選択部３１６は、２〜３クロック周期の所定のサブサンプリング区間中のピーク値を検出する「ピーク検出モード」が選択されているときと、ピーク値の検出を行わない「固定周期モード」選択時とで異なる動作を行う。「ピーク検出モード」が選択されおり、サブサンプリングの周期が３クロック周期に選択されている場合には、輪郭強調信号ＡＢＤｔ０と輪郭強調信号ＡＢＤｔ１と輪郭強調信号ＡＢＤｔ２の各値（レベル）を比較して、レベルが最も大きい信号を検出する。サブサンプルの周期が２クロック周期に選択されている場合には、出力選択部３１６によって輪郭強調信号ＡＢＤｔ０と輪郭強調信号ＡＢＤｔ１とを比較し、２つの信号のうちレベルの大きい方の信号を検出する。
【００２５】
そして出力選択部３１６は、セレクタＳＬ３に対して、レベルが最も大きな信号を出力させるための制御信号を供給する。このような処理が行われることにより、セレクタＳＬ３からは、輪郭強調信号Ｄｔの山あるいは谷としてのピーク値が輪郭強調信号ＰＤｔとして出力されるようになる。
【００２６】
また出力選択部３１６は、固定周期モードが選択されている場合には、セレクタＳＬ３に対して、常に輪郭強調信号Ｄｔ１のみを選択するように指示を行う。
【００２７】
セレクタＳＬ３の後段にはＤフリップフロップ（以下ＤＦＦと称する）３０１ａを設けてあり、ＤＦＦ３０１ａは、セレクタＳＬ３から出力された信号を所定のクロック数分ラッチしてから出力する。
【００２８】
ラッチのタイミングは、タイミング処理部３５０から供給されるタイミングパルスによって定められる。タイミング処理部３５０は、制御信号ＳＥａによって規定されるサブサンプリングの周期毎にタイミングパルスを生成する。具体的には、水平ブランキング期間の終わり（＝有効サンプリング区間の先頭）でリセットされる２進あるいは３進のカウンタを生成して、その値に基づいて２クロック周期あるいは３クロック周期のタイミングパルスを生成する。
【００２９】
例えば、サブサンプルの周期が１／２に設定されている場合には、タイミング処理部３５０で、２クロック周期のラッチ・タイミングを指示するタイミングパルスが生成されてＤＦＦ３０１ａに供給される。これにより、ＤＦＦ３０１ａではセレクタＳＬ３から出力される信号が１つおきに選択され、出力されるようになる。
【００３０】
次に、図３を参照して、周波数低減／ピーク検出部３１０によるピーク検出処理の詳細について説明する。図３のグラフの縦軸は絶対値化された輪郭強調信号のレベルを示し、破線で示した０のレベルを境に上方向が山（プラス）、下方向が谷（マイナス）を示す。横軸は、水平方向での画素の位置を示す。
【００３１】
図３（ａ）は、サブサンプリングされていないオリジナルの輪郭強調信号Ｄｔを示したものである。図３（ｂ）は、２クロック周期毎にサブサンプリングした場合（固定周期モード）の例を示したものであり、図３（ｃ）は、２クロック周期毎にサブサンプリングした上に、ピーク検出処理を行った場合（ピーク検出モード）の例を示したものである。
【００３２】
固定周期モードが選択された場合には、図３（ａ）における０画素目と２画素目と４画素目が１／２のクロック周期でサブサンプリングされ、サブサンプリングされた値は図３（ｂ）に示したもののようになる。図３（ｂ）においては、図３（ａ）における０画素目と２画素目と４画素目の値は、すべて０となってしまっていることが分かる。つまり、固定周期モードが選択された場合には、図３（ａ）のオリジナルの信号には存在した信号の山／谷の情報が消失してしまうことになる。
【００３３】
これに対して、図３（ｃ）に示すようにピーク検出処理を行った場合には、連続する２つのサンプル値のうち値の大きい方が出力されるようになる。図３（ａ）に示した３画素目と２画素目のうち、よりレベルの大きい３画素目の値が選択され、１画素目と０画素目のうち、よりレベルの大きい１画素目の値が選択されるようになる。これにより、図３（ｃ）において楕円形の破線で囲った箇所において、図３（ａ）に示されたオリジナルの輪郭強調信号の山／谷の情報が保持されるようになる。
【００３４】
次に、図４を参照して、周波数低減／ピーク検出部３１０における周波数低減処理の詳細について説明する。図４（ａ）は、サブサンプリング周期が１／２に指定された場合のサブサンプリング処理の例を示した図である。図４（ａ）の上段は、セレクタＳＬ３から１クロック毎に出力される輪郭強調信号を水平方向に並べたものである。下段には、タイミング処理部３５０から出力されるタイミングパルスを、ＨｉｇｈとＬｏｗよりなる方形波で示してある。
【００３５】
サブサンプリング周期が１／２に設定されている場合は、図４（ａ）に示すように、有効サンプリング区間内で、輪郭強調信号ＰＤｔの０番目と２番目、４番目、６番目、８番目のみがサンプリングされる。サブサンプル周期が１／３に設定されている場合には、図４（ｂ）に示すように、輪郭強調信号ＰＤｔの０番目と３番目、６番目、９番目のみがサンプリングされる。つまり、ＤＦＦ３０１ａ（図２参照）からは、周波数が１／２又は１／３に低減された輪郭強調信号ＳＤｔが出力される。
【００３６】
なお、ユーザによるフォーカスの調整操作によってフォーカスが合ってくると、輪郭強調信号Ｄｔは高周波成分が主となる。このため、前記の方法によってサブサンプリング(Sub Nyquist Sampling)をしている輪郭強調信号ＳＤｔにおいては、エイリアシングが発生することになる。
【００３７】
１−１−ｂ．幅変調部の構成例
次に、図５のブロック図を参照して、幅変調部３２０の内部構成例について説明する。図５において、図１及び図２と対応する箇所には同一の符号を付してあり、詳細な説明は省略する。幅変調部３２０は、レベル判定部３２１と、幅変調値決定部３２２と、幅変調処理部３２３と、ＤＦＦ３０１ｂとを備える。
【００３８】
レベル判定部３２１は、絶対値化部３１３で絶対値化された現在の輪郭強調信号ＡＢＤｔ０のレベルが、予め設定しておいた９段階のレベルのうちどのレベルに該当するのかを判定して、判定結果を幅変調値決定部３２２に出力する。
【００３９】
レベル判定部３２１に予め設定された各レベルの分割例を、図６に示してある。図６の縦軸は信号のレベルを示しており、ここでは映像信号が１０ビットで構成されていることを想定している。そして、１０ビットの信号における最小値０から最大値１０２３までの範囲が示されている。本実施の形態では、閾値ＴＬｖ１〜閾値ＴＬｖ８によってこの範囲をレベル０〜レベル８の９つのレベルに分割している。
【００４０】
レベル判定部３２１は、輪郭強調信号ＡＢＤｔ０の信号値をこれらの閾値に照らし合わせることで、輪郭強調信号ＡＢＤｔ０をレベル０〜レベル８のうちのいずれかのレベルに分類する。例えば、輪郭強調信号ＡＢＤｔ０の信号レベルが閾値ＴＬｖ３以上閾値ＴＬｖ４未満である場合には、輪郭強調信号ＡＢＤｔ０はレベル３に分類される。
【００４１】
なお、図６においては、レベルの割り振り間隔を等間隔とした例を示してあるが、閾値ＴＬｖの値の大きさや各レベルの割り当て幅は、任意のものに設定可能であるものとする。
【００４２】
幅変調値決定部３２２は、幅変調処理部３２３で行われる幅変調処理における変調幅を設定する。具体的には、レベル判定部３２１に設定された各レベル設定値（レベル０〜レベル８）と、それぞれに値が異なる各幅変調値とを対応づけた情報を持っており、レベル判定部３２１で分類されたレベルと対応する幅変調値を読み出す処理を行う。
【００４３】
図６に示した例では、レベル０とレベル１には幅変調値ＷＬｖ１を対応付けてあり、レベル２〜レベル８には、それぞれ幅変調値ＷＬｖ２〜ＷＬｖ８を対応付けてある。図示はしていないが、幅変調値ＷＬｖ１の値を一番小さく設定してあり、幅変調値ＷＬｖ８の値を一番大きく設定してある。
【００４４】
図５に戻って説明を続けると、幅変調値決定部３２２は、幅変調処理部３２３によって幅変調された輪郭強調信号ＷＤｔを、本線の色差信号Ｃｒと色差信号Ｃｂのどちらに加算するかを指定するＷＭｘｃ１又は、両方への加算を指示する制御信号ＷＭｘｃ２を生成する。なお、以下の説明では、制御信号ＷＭｘｃ１とＷＭｘｃ２を特に区別する必要がない場合は、単に制御信号ＷＭｘｃと称する。制御信号ＷＭｘｃの出力先は、本線の色差信号Ｃｒと幅変調後の輪郭強調信号ＷＤｔとを加算する加算器ＡＭ２（図１参照）と、本線の色差信号Ｃｂと幅変調後の輪郭強調信号ＷＤｔとを加算する加算器ＡＭ３（図１参照）である。本線の信号と幅変調後の輪郭強調信号ＷＤｔとの加算の部分の詳細については後述する。
【００４５】
幅変調値決定部３２２は、レベル判定部３２１で判定されたレベルが例えばレベル０〜レベル５までだった場合は、輪郭強調信号ＷＤｔを色差信号Ｃｒと色差信号Ｃｂのいずれか一方に加算させるための制御信号ＷＭｘｃ１を出力する。そして、レベル６〜レベル８の高レベルの場合には、色差信号Ｃｒと色差信号Ｃｂの両方に加算させる制御信号ＷＭｘｃ２を出力するようにする。このような処理を行えば、レベル判定部３２１で判定された輪郭強調信号のレベルがレベル６を超えた時点で、画像の輪郭部分の色合いが変わるようになる。輪郭強調信号のレベルが高レベルに達したということは、ピントがジャストフォーカスに近づいたということであり、このような状態で輪郭部分の色合いが変化することで、ユーザはピントの合い具合を視覚的に容易に認識できるようになる。なお、制御信号Ｍｘｃ１及び制御信号Ｗｍｃ２とレベルとの対応付けは、ユーザが自由に設定できるようにしてある。
【００４６】
また、幅変調処理部３２３は、幅変調値決定部３２２から出力される幅変調値ＷＬｖに応じた幅のタイミングパルスを生成して、ＤＦＦ３０１ｂのイネーブル信号として出力する。
【００４７】
ＤＦＦ３０１ｂは、タイミングパルスが入力されたタイミングで輪郭強調信号Ｄｔ１を取り込み、その次のパルス入力によって新たな値が入力されるまでの間、取り込んだ値を保持する。これにより、ピーク値が、幅設定値ＷＬｖによって設定された幅の分だけホールドされるようになる。このような処理が施された輪郭強調信号Ｄｔは、輪郭強調信号ＷＤｔとしてセレクタＳＬ４に出力される。
【００４８】
図７に、幅変調処理部３２３による幅変調処理の例を示してある。図７には、ＤＦＦ３０１ｂに入力される輪郭強調信号Ｄｔ１の波形を破線で示してあり、セレクタＳＬ４から出力される輪郭強調信号ＷＤｔを実線で示してある。
【００４９】
輪郭強調信号Ｄｔ１のレベルが増加中である場合には、セレクタＳＬ３で選択されてＤＦＦ３０１ａでラッチされたピーク値が、セレクタＳＬ４に出力される。セレクタＳＬ４は、輪郭強調信号Ｄｔ１のレベルが増加中はＤＦＦ３０１ａから入力される輪郭強調信号ＳＤｔを選択し、そうでない時はＤＦＦ３０１ｂから入力される幅変調処理された輪郭強調信号ＷＤｔを選択する。この選択信号は幅変調処理部３２３から供給されるものであり、いずれの選択信号を供給するかは、輪郭強調信号ＡＢＤｔ０と輪郭強調信号ＡＢＤｔ１との大小比較により決定される。このような制御が行われることにより、セレクタＳＬ４からの出力信号の波形は、図７に示したような等間隔の幅を有する階段状のものとなる。
【００５０】
輪郭強調信号Ｄｔのレベルが減少している場合には、ＤＦＦ３０１ｂで幅変調処理が行われ、輪郭強調信号Ｄｔ１の幅が、幅設定値ＷＬｖで設定された幅に変調される。これにより、輪郭強調信号Ｄｔ１のレベルがピークの時にその値がホールドされ、図７に示すように輪郭強調信号ＷＤｔの山の部分で波形の幅が広くなる。
【００５１】
輪郭強調信号Ｄｔ１のレベルが増加しているときに幅変調を行うと、その処理時間分だけ、幅変調後の信号がピークレベルに到達する時間が遅れてしまい、オリジナルの信号の山／谷の情報を正確に取得することができなくなってしまう。このため、本実施の形態のＤＦＦ３０１ｂでは、レベルが減少しているときにのみ幅変調処理を行うようにしている。
【００５２】
次に、セレクタＳＬ４から出力された信号に施される処理の詳細について、再び図１を参照して説明する。セレクタＳＬ４の後段に設けられた絶対値化／極性反転処理部３３０は、図示せぬ制御部から供給される制御信号の内容に応じて、セレクタＳＬ４から出力される輪郭強調信号ＳＤｔ又は輪郭強調信号ＷＤｔを、絶対値化あるいは信号の極性を反転させる。絶対化又は極性の反転処理を行うことで、輪郭強調信号ＳＤｔ又は輪郭強調信号ＷＤｔが付加された色差信号Ｃｒ又は色差信号Ｃｂの色合いを変化させることができる。
【００５３】
絶対値化させるか極性の反転を行うか、あるいはいずれの処理も行わないかは、設定により変更できるようにしてある。絶対値化する設定がされている場合には、絶対値化／極性反転処理部３３０にＨｉｇｈの制御信号ＡＢｃが供給され、極性を反転する設定となっている場合には、絶対値化／極性反転処理部３３０にＨｉｇｈの制御信号ＩＮｃが供給される。絶対値化又は極性の反転を行う設定がされていない場合には、絶対値化／極性反転処理部３３０にＬｏｗの制御信号ＡＢｃとＬｏｗの制御信号ＩＮｃとが供給される。
【００５４】
絶対値化／極性反転処理部３３０の後段には、絶対値化／極性反転処理部３３０からの出力信号に所定のゲイン係数ＧＡｃを乗算する乗算器ＭＬ１を設けてある。ゲイン係数ＧＡｃは、例えば１倍、２倍、４倍、１／２倍等複数設けてあり、いずれかの設定値が選択的に設定される。これらの設定値は、図示せぬ制御部により、撮影条件等に応じた最適な値が選択される。もしくは、ユーザが任意の値を選択できるようにしてある。このような機能を持たせることで、屋外などでビューファインダ４００の画面が見づらいときに、輪郭強調信号自体のゲインを上げて強調表示をより分かりやすくすることもできるようになる。
【００５５】
乗算器ＭＬ１でゲインの調整が行われた輪郭強調信号ＷＤｔｇは、加算器ＡＭ２及び／又は加算器ＡＭ３に供給する。加算器ＡＭ２は、本線の色差信号Ｃｒに輪郭強調信号ＷＤｔｇを加算し、加算器ＡＭ３は、本線の色差信号Ｃｂに輪郭強調信号ＷＤｔｇを加算する。加算器ＡＭ２と加算器ＡＭ３にはそれぞれ制御信号ＷＭｘｃが供給され、制御信号ＷＭｘｃがＷＭｘｃ１であるかＷＭｘｃ２であるかによって、本線の色差信号Ｃｒ又は色差信号Ｃｂに輪郭強調信号を加算するか、それとも本線の色差信号Ｃｒ又は色差信号Ｃｂをそのまま通過させるかが決定される。つまり、制御信号ＷＭｘｃ１が供給された場合には加算器ＡＭ２では加算が行われるが、加算器ＡＭ３では加算は行われなくなる。
【００５６】
本線の色差信号Ｃｒと色差信号Ｃｂは、乗算器ＭＬ３及び遅延部３０１Ｃを経由して、加算器ＡＭ２及び加算器ＡＭ３に供給される。
【００５７】
乗算器ＭＬ３は、本線の色差信号Ｃｒと色差信号Ｃｂに所定のゲイン係数ＧＡｃｏを乗算する。ゲイン係数ＧＡｃｏは、例えば１／２倍、１／４倍、１／８倍、０倍等複数設けてあり、任意の値を選択できるようにしてある。つまり、これらのゲイン係数ＧＡｃｏが本線の色差信号Ｃｒと色差信号Ｃｂに乗算されることで、色差信号Ｃｒと色差信号Ｃｂのレベルが下がるようになる。本線の色差信号Ｃｒと色差信号Ｃｂのレベルが下がると、加算器ＡＭ２又は加算器ＡＭ３から出力される信号における輪郭強調信号の比率が増えるため、合焦部分以外の箇所の色がモノクロ又は薄くなり、画像の輪郭部分のみが色として表示されるようになる。
【００５８】
従って、撮影中の被写体の色と合焦度合いを示す信号とが同一色だったり、カラフルな色合いの場合等に、合焦部分をより分かりやすく表示させたい場合は、ここで所望のゲイン係数ＧＡｃｏを選択するようにすればよい。従来のような、輪郭強調信号を本線の輝度信号Ｙに加算する手法においては、本線の輝度信号Ｙを弱めることはできないため、このような処理を行うことはできなかった。これに対して本実施の形態によれば、実現が可能となる。
【００５９】
例えば、ゲイン係数を０に設定した場合には、ビューファインダ４００には画像がモノクロで表示されるようになる。これにより、輪郭強調信号が付加された画像の輪郭部分のみがカラー表示されるため、フォーカスの状態の変化をより認識しやすくなる。
【００６０】
遅延部３０１Ｃは、周波数低減／ピーク検出部３１０及び／又は幅変調部３２０で、輪郭強調信号に対して処理が行われた時間分、本線の色差信号Ｃｒと色差信号Ｃｂに遅延を加える。
【００６１】
加算器ＡＭ２から出力された輪郭強調信号付加済みの色差信号Ｃｒ′と、加算器ＡＭ３から出力された輪郭強調信号付加済みの色差信号Ｃｂ′は、ともにセレクタＳＬ５に供給する。セレクタＳＬ５は、タイミング処理部３５０からのタイミングパルスに基づいて、１クロック毎に、加算器ＡＭ２から出力された色差信号Ｃｒ′と加算器ＡＭ３から出力された色差信号Ｃｂ′のいずれか一方を選択してセレクタＳＬ２に出力する。
【００６２】
周波数低減／ピーク検出部３１０の後段に設けられた絶対値化／極性反転処理部３４０は、周波数低減／ピーク検出部３１０によってサブサンプル及び／又はピーク検出された輪郭強調信号ＳＤｔを、絶対化又はその極性を反転させる。絶対値化／極性反転処理部３３０と同様に、入力された制御信号ＡＢｙがＨｉｇｈであった場合には絶対値化を行い、入力された制御信号ＩＮｙがＨｉｇｈであった場合には極性を反転させる。
【００６３】
絶対値化／極性反転処理部３４０の後段には乗算器ＭＬ２を設けてあり、乗算器ＭＬ２は、絶対値化／極性反転処理部３４０から出力された輪郭強調信号ＳＤｔａに所定のゲイン係数ＧＡｙを乗算する。ゲイン係数ＧＡｙは、１倍、２倍、４倍、１／２倍等複数設けてあり、任意の値を選択できるようにしてある。
【００６４】
乗算器ＭＬ２でゲインの調整が行われた輪郭強調信号ＳＤｔｇは、加算器ＡＭ４に供給される。そして加算器ＡＭ４は、入力された輪郭強調信号ＳＤｔｇを本線の輝度信号Ｙに加算する。加算器ＡＭ４には制御信号ＷＭｘｙが供給され、制御信号ＷＭｘｙの値によって、本線の輝度信号Ｙに輪郭強調信号を加算するか否かが決定される。
【００６５】
本線の輝度信号Ｙは、遅延部３０１Ｙを経由して加算器ＡＭ４に供給される。遅延部３０１Ｙは、周波数低減／ピーク検出部３１０、輪郭強調信号に対して処理が行われた時間分、本線の輝度信号Ｙに遅延を加える。加算器ＡＭ４から出力された輪郭強調信号付加済みの輝度信号Ｙ′は、セレクタＳＬ１に供給される。
【００６６】
２．撮像装置の動作の例
以下、撮像装置１の動作について、図１、図２、図５を参照して説明する。
２−１．従来のモード選択時の動作
撮像装置１では、フォーカスアシストモードではなく従来のモードが選択されている場合には、加算器ＡＭ１によって、輪郭成分抽出部２００から出力された輪郭強調信号Ｄｔが本線の輝度信号Ｙに加算される。そして、輪郭強調信号Ｄｔが加算された輝度信号Ｙは、セレクタＳＬ１を経由してビューファインダ４００に出力される。一方、本線の色差信号Ｃｒと色差信号Ｃｂも、セレクタＳＬ２を経由してビューファインダ４００に出力される。これにより、ビューファインダ４００には、輪郭強調信号Ｄｔが付加された輝度信号Ｙと、何も処理が施されていない色差信号Ｃｒと色差信号Ｃｂによる画像が表示されるようになる。
【００６７】
２−２．フォーカスアシストモード選択時の動作
フォーカスアシストモードにおいては、輪郭強調処理部３００によって処理された輪郭強調信号を、本線の色差信号Ｃｒと色差信号Ｃｂのどちらに付加するか、あるいは双方に付加するかを、ユーザが選択できるようにしてある。また、ユーザによって、輝度信号Ｙに輪郭強調処理を施す設定がされた場合には、周波数低減／ピーク検出部３１０でサブサンプリング及び／又はピーク検出された輪郭強調信号ＳＤｔｇが、加算器ＡＭ４によって本線の輝度信号Ｙに加算される。加算器ＡＭ４によって加算されることで輝度信号Ｙ′が生成されて、セレクタＳＬ１に供給される。
【００６８】
輪郭強調信号が色差信号Ｃｒ及び／又は色差信号Ｃｂに付加されることで、輪郭強調信号のレベルの増減に応じて、ビューファインダ４００上に表示される画像の輪郭部分の色も、濃くなったり薄くなったりする。幅変調の処理が行われた場合には画像の輪郭部分の色の幅も狭くなったり太くなったりするため、ユーザは、フォーカスの状態の変化を視覚的に把握することが可能となる。
【００６９】
本実施の形態では、輪郭強調処理部３００によって処理された輪郭強調信号を、本線の色差信号Ｃｒ及び／又は色差信号Ｃｂに加算する場合に、大きく分けて下記の３つのモードを選択することができるようになっている。
（１）サブサンプルにより周波数を低減させた輪郭強調信号を加算するモード
（２）周波数低減及び、ピーク検出を行った輪郭強調信号を加算するモード
（３）周波数低減及び／又はピーク検出を行った上に幅変調も行った輪郭強調信号を加算するモード
【００７０】
まず、（１）のモードが選択された場合の信号の流れを説明する。輪郭成分抽出部２００で抽出された輪郭強調信号Ｄｔは、図２に示す周波数低減／ピーク検出部３１０に供給され、遅延部３１１で１クロック分の遅延が加えられて輪郭強調信号Ｄｔ０１とされる。輪郭強調信号Ｄｔ０１は、セレクタＳＬ４を通してＤＦＦ３０１ａに供給され、タイミング処理部３５０から供給されるタイミングパルスに基づいて、２クロック周期又は３クロック周期でサブサンプルされる。
【００７１】
周波数低減／ピーク検出部３１０でのサブサンプル処理によって周波数が低減された輪郭強調信号ＳＤｔは、セレクタＳＬ４により選択されて絶対値化／極性反転処理部３３０に供給される。絶対値化／極性反転処理部３３０では、輪郭強調信号ＳＤｔに対して絶対値化又は極性反転を行って、処理された輪郭強調信号ＷＤｔａが得られる。この輪郭強調信号ＷＤｔａは、乗算器ＭＬ１に出力され、乗算器ＭＬ１によって、所定のゲイン係数が乗算される。乗算器ＭＬ１から出力された輪郭強調信号ＷＤｔｇは、加算器ＡＭ２及び／又は加算器ＡＭ３によって、本線の色差信号Ｃｒ及び／又は色差信号Ｃｂに加算され、輪郭強調された色差信号Ｃｒ′及び／又は色差信号Ｃｂ′が得られる。この輪郭強調された色差信号Ｃｒ′及び／又は色差信号Ｃｂ′が、セレクタＳＬ５で１クロックごとに選択された色差信号Ｃ′となり、色差信号Ｃ′がセレクタＳＬ２を経由してビューファインダ４００に出力される。
【００７２】
輝度信号Ｙに輪郭強調処理を施す選択がされている場合には、周波数低減／ピーク検出部３１０でサブサンプリング及び／又はピーク検出された輪郭強調信号ＳＤｔｇが、加算器ＡＭ４によって本線の輝度信号Ｙに加算される。そして、加算器ＡＭ４によって加算されることで生成された輝度信号Ｙ′が、セレクタＳＬ１を通してビューファインダ４００に出力される。
【００７３】
次に、（２）のモードが選択された場合の信号の流れを説明する。図２に示す周波数低減／ピーク検出部３１０では、遅延が加えられていない輪郭強調信号Ｄｔ０と、１クロック分の遅延が加えられた輪郭強調信号Ｄｔ１と、２クロック分の遅延が加えられた輪郭強調信号Ｄｔ２が生成される。これらの信号は、絶対値化部３１３〜絶対値化部３１５によって絶対値化されて輪郭強調信号ＡＢＤｔ０〜輪郭強調信号ＡＢＤｔ２とされ、出力選択部３１６に供給される。
【００７４】
出力選択部３１６では、サブサンプルの周期が１／２に設定されている場合には、輪郭強調信号ＡＢＤｔ０と輪郭強調信号ＡＢＤｔ１のうち値が大きいものが選択される。サブサンプルの周期が１／３に設定されている場合には、輪郭強調信号ＡＢＤｔ０〜輪郭強調信号ＡＢＤｔ２の中から最大のレベルを有するものが選択される。出力選択部３１６によって選択された最大レベルを有する輪郭強調信号ＰＤｔはＤＦＦ３０１ａに供給され、タイミング処理部３５０から供給されるタイミングパルスに基づいて、２クロック周期又は３クロック周期でサブサンプリングされる。サブサンプリングされた輪郭強調信号ＳＤｔはセレクタＳＬ４により選択されて、絶対値化／極性反転処理部３３０に供給される。この後の信号の流れは、上述した（１）のモードと同様であるため説明を省略する。
【００７５】
（３）のモードが選択された場合には、上述した（１）あるいは（２）のモードにおける周波数低減処理が行われた後に、図５に示す幅変調部３２０による幅変調処理が行われる。
【００７６】
幅変調処理部３２３での処理に先立って、レベル判定部３２１によって、現在の輪郭強調信号ＡＢＤｔ０のレベルが、予め設定してあるレベル設定値のどれに該当するかが判断される。そして、幅変調値決定部３２２（図５参照）によって、判定されたレベルと予め対応付けられた幅変調値ＷＬｖが読み出されて、この幅変調値ＷＬｖが幅変調処理部３２３に供給される。
【００７７】
幅変調値ＷＬｖの値は、レベル設定値が大きくなるほど大きな値となるように設定してあるため、フォーカスが合ってきて輪郭強調信号のレベルが上昇するほどに、画像の輪郭部分に含まれる色成分が太く表示されるようになる。また、レベルが所定のレベル以上となった時点で、輪郭強調信号の付加先を色差信号Ｃｒと色差信号Ｃｂの両方とする設定をしておくことで、ピントが合ってくるに従って、画像の輪郭部分の色が変化するようになる。例えば、通常は色差信号Ｃｂのみに付加される設定としておき、レベルが所定の閾値を超えた場合に色差信号Ｃｒと色差信号Ｃｂの両方に付加される設定とすることで、ピントが合うに従って、画像の輪郭部分が青色からマゼンダに変化するようになる。
【００７８】
図８に、（３）のモードが設定された場合の、ビューファインダ４００での表示の例を示してある。図８に立方体で示したのは被写体であり、図の左側のピントがぼけた状態から右側のピントが合った状態に移るに従って、被写体の輪郭部分の太さが太くなるとともに、色も淡色から濃い色に変化している状態が示されている。なお図８においては、色の変化を線の種類（破線の間隔や破線から実線への変化）で表現している。
【００７９】
さらに、図８に示した例では、最も合焦状態に近い図の右端の状態で、輪郭部分の色（図においては破線から実線）が変化している。これは、幅変調処理部３２３（図５参照）において、輪郭強調信号ＡＢＤｔ０のレベルが所定のレベル以上であった場合に、輪郭強調信号の付加先を、色差信号Ｃｒと色差信号Ｃｂのいずれか一方から両方に切り替える制御信号ＷＭｘｃ１を出力させることで実現する。
【００８０】
３．実施の形態の効果
上述した実施の形態によれば、輪郭強調信号が２クロック周期毎あるいは３クロック周期毎にサブサンプリングされるため、輪郭強調信号の周波数が、本線の輝度信号の周波数の１／２又は１／３になる。これにより、低解像度のビューファインダでも画像の輪郭部分が十分に強調して表示されるようになる。
【００８１】
また、上述した実施の形態によれば、本線の輝度信号から抽出された輪郭強調信号が色差信号Ｃｒと色差信号Ｃｂのいずれか、あるいは双方に追加されるため、輪郭強調信号のレベルの増減に応じて、ビューファインダに表示される画像の輪郭部分の色の濃淡が変化するようになる。これにより、ユーザはフォーカスの状態の変化を視覚的に把握することができる。
【００８２】
また、上述した実施の形態によれば、輪郭強調信号のレベルに応じて輪郭強調信号の幅が変化され、幅が変化した輪郭強調信号が本線の色差信号Ｃｒ及び／又は色差信号Ｃｂに追加される。これにより、ピントが合焦状態に近づいて輪郭強調信号のレベルが上昇するに従って、画像の輪郭部分の幅が太くなる。従って、ダイナミックレンジが狭く色域が十分でないビューファインダにおいても、フォーカス状態の変化を視覚的に容易に判断することができるようになる。特に、直視型のビューファインダにおいては、使用環境によっては画像中の色の変化が認識しにくくなる場合もあるが、そのような際にも、フォーカス状態の変化が分かりやすく表示されるようになる。
【００８３】
また、上述した実施の形態では、輪郭強調信号のレベルが所定のレベルを超えた場合に、輪郭強調信号の付加先を、色差信号Ｃｒと色差信号Ｃｂのいずれか一方から両方に切り替える設定をすることができる。これによって、ピントが合焦状態に近づくと、画像の輪郭部分の色合いが変化するようになる。つまり、色の変化によってジャストフォーカスに近づいているか否かを判断することができる。
【００８４】
また、上述した実施の形態によれば、輪郭強調信号に対する幅変調処理が、輪郭強調のレベルが増加していないときにのみ行われる。これにより、輪郭強調信号の山／谷の情報を正確に取得することができるようになり、信号の山／谷に応じた幅変調処理が行われるようになる。
【００８５】
また、上述した実施の形態では、２つ又は３つの連続するサンプル値の中から最大の値を有するサンプル値を検出して、この値を用いてサブサンプリングを行うピーク検出モードも選択できる。このモードを選択することで、オリジナルの輪郭強調信号が持つ山／谷の情報をより正確に取得することができるようになる。つまり、フォーカス状態の変化が輪郭の強調表示により正確に反映されるようになる。
【００８６】
また、上述した実施の形態によれば、本線の色差信号Ｃｒ及び／又は色差信号Ｃｂに輪郭強調信号を加算する際に、色差信号Ｃｒ及び／又は色差信号Ｃｂに所定のゲイン係数を乗算してそのレベルを落とすこともできる。これにより、画像の輪郭部分の強調をよりはっきり表示することができるようになる。
【００８７】
また、上述した実施の形態では、輪郭強調信号に対してもゲインの調整を行えるようにしてある。これにより、輪郭強調信号をレベル方向に強調することができるため、屋外等の明るい場所においても、画像の輪郭部分の強調表示を分かりやすく表示することができるようになる。
【００８８】
また、上述した実施の形態によれば、サブサンプルされた輪郭強調信号を本線の輝度信号に付加する設定や、従来通り、何も処理が加えられていない輪郭強調信号を本線の輝度信号に加算する設定も選択することができる。これにより、撮影状況等に応じて好みの強調方法を選択することができるようになる。
【００８９】
４．本実施の形態の他の例
なお、上述した実施の形態では、サブサンプリングされた輪郭強調信号にアンチエイリアシングの処理を施さないで本線の信号に加算することで、エイリアシングによるフリッカを自然発生させている。これによって発生する画像の輪郭部分におけるフリッカも、輪郭強調表示の１つであると考えるためである。
【００９０】
このため、輪郭強調表示の１つとしてのフリッカを、意図的に発生させる構成を採用してもよい。具体的には、本線の信号への輪郭強調信号の付加のタイミングをオン又はオフすることによって、画像の輪郭部分を明滅させるようにしてもよい。オンとオフの切り替えは、垂直方向の１ライン毎に行ってもよく、１フィールド（又はフレーム）毎に行うようにしてもよい。
【００９１】
又は、固定周期モードが選択されている場合には、サブサンプルの位相を選択することで、フリッカの発生状態と非発生状態とを切り替えるようにしてもよい。
【００９２】
このような処理を行うことにより、画像の輪郭部分近辺が周期的に明滅するようになるため、フォーカスが合焦状態に近づいたことを容易に判断できるようになる。
【００９３】
また、上述した実施の形態では、ビューファインダ４００を備えた撮像装置１に適用した例を挙げたが、ビューファインダ等の表示部は備えない構成に適用するようにしてもよい。つまり、出力端子等を通して外部の表示装置に映像信号を出力する装置に適用してもよい。また、撮像部１００を有さず、外部の撮像装置から入力される映像信号を処理する映像信号処理装置に適用してもよい。
【図面の簡単な説明】
【００９４】
【図１】本発明の一実施の形態による撮像装置の内部構成例を示すブロック図である。
【図２】本発明の一実施の形態による周波数低減／ピーク検出部の内部構成例を示すブロック図である。
【図３】本発明の一実施の形態によるピーク検出処理の例を示す説明図であり、Ａはオリジナルの輪郭強調信号の波形を示し、Ｂは固定周期モードでサンプリングされた輪郭強調信号の波形を示し、Ｃはピーク検出モードでサンプリングされた輪郭強調信号の波形を示す。
【図４】本発明の一実施の形態によるサブサンプリング処理の例を示す説明図であり、Ａはサンプリングの周期が１／２クロック周期に設定された場合の例を示し、Ｂはサンプリングの周期が１／３クロック周期に設定された場合の例を示す。
【図５】本発明の一実施の形態による幅変調部の内部構成例を示すブロック図である。
【図６】本発明の一実施の形態によるレベルの設定例を示す説明図である。
【図７】本発明の一実施の形態による幅変調処理の例を示す説明図である。
【図８】本発明の一実施の形態による輪郭強調表示の例を示す説明図である。
【符号の説明】
【００９５】
１…撮像装置、１００…撮像部、２００…輪郭成分抽出部、３００…輪郭強調処理部、３０１Ｃ，３０１Ｙ…遅延部，３０１ａ，３０１ｂ…Ｄフリップフロップ、３１０…周波数低減／ピーク検出部、３１１，３１２…遅延部、３１３〜３１５…絶対値化部、３１６…出力選択部、３２０…幅変調部、３２１…レベル判定部、３２２…幅変調値決定部、３２３…幅変調処理部、３３０，３４０…絶対値化／極性反転処理部、３５０…タイミング処理部、４００…ビューファインダ、５００…カウンタ、ＡＭ１〜ＡＭ４…加算器、ＭＬ１〜ＭＬ３…乗算器、ＳＬ１〜ＳＬ４…セレクタ
【図１】
2010135865.tif 000003
【図２】
2010135865.tif 000004
【図３】
2010135865.tif 000005
【図４】
2010135865.tif 000006
【図５】
2010135865.tif 000007
【図６】
2010135865.tif 000008
【図７】
2010135865.tif 000009
【図８】
2010135865.tif 000010